(57)【要約】      （修正有）【課題】寸法公差の大きな部品で構成されても、流量のバラツキが抑制される電磁弁及び電磁弁の製造方法を提供すること。【解決手段】流体の流路を形成するハウジング１１と、一端側が流路に開口し流体の供給を受ける入力ポート１４と、一端側に流路に開口する弁口１２ａを備え流体の排出を行う出力ポート部１２と、弁体１３を備え弁体を駆動して弁口を開閉する電磁駆動部３０と、を有する電磁弁であって、弁口の開弁時の流量を連続的に調節する流量連続調節手段１１ａ、１２ｃを備える。【選択図】図１
2014020446.tif 000002
【特許請求の範囲】
【請求項１】
流体の流路を形成するハウジングと、一端側が前記流路に開口し流体の供給を受ける入力ポートと、一端側に前記流路に開口する弁口を備え流体の排出を行う出力ポート部と、弁体を備え前記弁体を駆動して前記弁口を開閉する電磁駆動部と、を有する電磁弁であって、
前記弁口の開弁時の流量を連続的に調節する流量連続調節手段を備えることを特徴とする電磁弁。
【請求項２】
前記流量連続調節手段は、前記弁口の開弁時の弁口と前記弁体との間隔を調節する間隔調節手段である請求項１に記載の電磁弁。
【請求項３】
前記間隔調節手段は、前記弁体の移動方向に沿って連なる螺子山が前記出力ポート部と前記ハウジングとの間に形成された螺合機構である請求項１に記載の電磁弁。
【請求項４】
流体の流路を形成するハウジングと、一端側が前記流路に開口し流体の供給を受ける入力ポートと、一端側に前記流路に開口する弁口を備え流体の排出を行う出力ポート部と、弁体を備え前記弁体を駆動して前記弁口を開閉する電磁駆動部と、を有する電磁弁の製造法であって、
流量連続調節手段で前記弁口の開弁時の流量を調節して所定の流量に調節する流量調節ステップを有することを特徴とする電磁弁の製造方法。
【請求項５】
前記流量連続調節手段は、前記弁口の開弁時の弁口と前記弁体との間隔を調節する間隔調節手段である請求項４に記載の電磁弁の製造方法。
【請求項６】
前記間隔調節手段は、前記弁体の移動方向に沿って連なる螺子山が前記出力ポート部と前記ハウジングとの間に形成された螺合機構である請求項５に記載の電磁弁の製造方法。
【発明の詳細な説明】
【技術分野】
【０００１】
この発明は、流体流路の開閉を行う電磁弁に関し、電磁弁の開弁時の流量のバラツキを抑制する技術に関する。
【背景技術】
【０００２】
たとえば、燃料タンクから発生する蒸発ガスのエンジン吸気管への供給を制御するための電磁弁として、図４に示すような電磁弁が知られている（例えば、特許文献１参照。）。
【０００３】
図４において、１０１は、負圧が印加される入力ポート１０２、出力ポート部１０３が設けられた樹脂製のハウジングである。１０４は、電磁コイル１０４aを内在させた円筒状のヨーク、１０５は、ヨーク１０４の下部に固定されたコア、１０６は、コア１０５の上部に可動支持されたプランジャー、１０７は、プランジャー１０６の上部に固定された弁体、１０８は、コア１０５に装着されたガイド１１０とプランジャー１０６との間に装着され弁体１０７を出力ポート部１０３の下端に位置する弁口１０３aに押しつけて閉弁するスプリングである。
【先行技術文献】
【特許文献】
【０００４】
【特許文献１】特開２００８−２９１９１６号公報
【発明の概要】
【発明が解決しようとする課題】
【０００５】
電磁弁の性能、すなわち開弁時の流量精度は開弁時（電磁コイル１０４ａが通電されてプランジャー１０６がスプリング１０８の付勢力に抗して下った時）の弁体１０７と弁口１０３ａの間隔の精度で決まる。しかし、上記従来の電磁弁においては、出力ポート部１０３のフランジ１０３ｂの下面端部がハウジング１０１の周壁の上端部に対向配置されて固定されている。そのため、弁体１０７と弁口１０３ａの間隔の精度は、電磁弁を構成する部品の寸法精度に依存することになる。
【０００６】
したがって、従来の電磁弁では、流量精度を上げる（流量のバラツキを抑える）ためには、電磁弁を構成する部品の寸法公差を厳しくする必要があった。すなわち、従来の電磁弁は、構成する部品の寸法公差を小さくしなければならいと云った問題を有していた。
【０００７】
寸法公差の小さい（寸法の許容範囲が狭い）部品を製作するには時間がかかり、コスト上昇をもたらす。
【０００８】
本発明は、上記従来の電磁弁の問題に鑑みてなされたものであり、寸法公差の大きな部品で構成されても、流量のバラツキが抑制される電磁弁及び電磁弁の製造方法を提供することを課題としている。
【課題を解決するための手段】
【０００９】
上記の課題を解決するためになされた本発明の電磁弁は、流体の流路を形成するハウジングと、一端側が前記流路に開口し流体の供給を受ける入力ポートと、一端側に前記流路に開口する弁口を備え流体の排出を行う出力ポート部と、弁体を備え前記弁体を駆動して前記弁口を開閉する電磁駆動部と、を有する電磁弁であって、前記弁口の開弁時の流量を連続的に調節する流量連続調節手段を備えることを特徴とする。
【００１０】
流量連続調節手段を備えているので、部品の寸法交差が大きくて開弁時の弁体と弁口の間隔のバラツキが大きくても、流量連続調節手段で流量を調節することで開弁時の流量のバラツキを抑制することができる。
【００１１】
上記の電磁弁において、前記流量連続調節手段は、前記弁口の開弁時の弁口と前記弁体との間隔を調節する間隔調節手段であるとよい。
【００１２】
流量連続調節手段を別体としなくて良いので、電磁弁を小型化できる。
【００１３】
また、前記間隔調節手段は、前記弁体の移動方向に沿って連なる螺子山が前記出力ポート部と前記ハウジングとの間に形成された螺合機構であるとよい。
【００１４】
流量をモニターしながら開弁時の弁体と弁口の間隔を調節できるので、流量のバラツキを短時間で抑制することができる。
【００１５】
上記の課題を解決するためになされた本発明の電磁弁の製造方法は、流体の流路を形成するハウジングと、一端側が前記流路に開口し流体の供給を受ける入力ポートと、一端側に前記流路に開口する弁口を備え流体の排出を行う出力ポート部と、弁体を備え前記弁体を駆動して前記弁口を開閉する電磁駆動部と、を有する電磁弁の製造法であって、流量連続調節手段で前記弁口の開弁時の流量を調節して所定の流量に調節する流量調節ステップを有することを特徴とする。
【００１６】
上記の電磁弁の製造方法において、前記流量連続調節手段は、前記弁口の開弁時の弁口と前記弁体との間隔を調節する間隔調節手段であるとよい。
【００１７】
また、前記間隔調節手段は、前記弁体の移動方向に沿って連なる螺子山が前記出力ポート部と前記ハウジングとの間に形成された螺合機構であるとよい。
【発明の効果】
【００１８】
流量連続調節手段を備えているので、部品の寸法交差が大きくて開弁時の弁体と弁口の間隔のバラツキが大きくても、流量連続調節手段で流量を調節することで開弁時の流量のバラツキを抑制することができる。
【図面の簡単な説明】
【００１９】
【図１】実施形態１に係る電磁弁の断面図である。
【図２】実施形態２に係る電磁弁の断面図である。
【図３】実施形態３に係る電磁弁の断面図である。
【図４】従来の電磁弁の断面図である。
【発明を実施するための形態】
【００２０】
本発明の実施形態を図面を参照して説明する。
【００２１】
（実施形態１）
本実施形態の電磁弁は、図１に示すように、流体の流路Ｒを形成するハウジング１１と、一端側が流路Ｒに開口し流体の供給を受ける入力ポート１４と、一端側に流路Ｒに開口する弁口１２aを備え且つハウジング１１の上部開口を覆うフランジ１２ｄを備える出力ポート部１２と、弁体１３を備え弁体１３を駆動して弁口１２aを開閉する電磁駆動部３０と、を備えている。
【００２２】
ハウジング１１は略円筒状をしており、その略中心軸上を弁体１３が上下する。また、出力ポート部１２のフランジ１２ｄも略円盤状をしており、その略中心軸上に弁口１２ａが配置されている。
【００２３】
ハウジング１１の上端部外周に牡螺子山１１ａが形成されている。また、出力ポート部１２のフランジ１２ｄの断面Ｌ字状部内周には雌螺子山１２ｃが形成されており、出力ポート部１２はフランジ１２ｄの雌螺子山１２ｃがハウジング１１の牡螺子山１１ａと螺合して組み付けられる。なお、本実施形態の電磁弁の場合、牡螺子山１１ａと雌螺子山１２ｃとで弁口１２ａの開弁時の弁口１２ａと弁体１３との間隔を調節する間隔調節手段を構成する。
【００２４】
ハウジング１１内の流路Ｒ中で容積の大きな部分Ｃはチャンバー容量部であり、フィルタ部材１６が配設されている。このチャンバー容量部Ｃは、弁口１２ａを弁体１３で閉弁する際発生する圧力波が入力ポート１４に伝播するのを和らげる作用をする。
【００２５】
電磁駆動部３０は、弁体１３が取り付けられたムービングコア１５ａの他に、このムービングコア１５ａを閉弁方向（弁体１２ａが弁口１２ａに着座する方向）に付勢するリターンスプリング１５ｂと、このリターンスプリング１５ｂの付勢力（閉弁力）に抗してムービングコア１５ａを開弁方向へ磁気吸引するソレノイド２０とを備える。
【００２６】
ソレノイド２０は、コイル２１、ボビン２２、ステータ２３、ヨーク２４を備え、コネクタ２９によって通電制御されるものであり、これらは流体の流路Ｒを形成しソレノイド２０のハウジング１１を成す２次成形樹脂によって樹脂モールドされている。
【００２７】
次に、本実施形態の電磁弁の組み付け調整について説明する。先ず、出力ポート部１２をハウジング１１に仮組み付けする。次に、出力ポート部１２に負圧源を接続し、入力ポート１４に流量計を取り付ける。次に、コイル２１をＯＮすると、ムービングコア１５ａがステータ２３に磁気吸引されて、リターンスプリング１５ｂの付勢力に抗してムービングコア１５ａが下方（開弁方向）へ移動する。
【００２８】
この状態で流量計で流量を測定し、流量が所定の流量より少ないときは、出力ポート部１２を矢印Ａ１方向に回して弁口１２ａを弁体１３から引き離して流量が所定の流量になったら、回すことを止めて、螺合部に接着剤を注入して固定する。
【００２９】
流量が所定の流量より多いときは、出力ポート部１２を矢印Ａ２方向に回して弁口１２ａを弁体１３に近づけながら流量を測定し、流量が所定の流量になったら、回すことを止めて、螺合部に接着剤を注入して固定する。
【００３０】
上記のように、本実施形態の電磁弁は開弁時の弁口１２ａと弁体１３との間隔を調節する間隔調節手段（牡螺子山１１ａと雌螺子山１２ｃ）を備えているので、構成部品の寸法公差が大きくても流量を所定の値にすることができる。
【００３１】
（実施形態２）
実施形態の電磁弁は、図２に示すように、構成要素の形状が実施形態１の電磁弁と異なる。形状が異なっても同一の構成要素には同一の符号を付し説明を省略する。
【００３２】
ハウジング１１Ａは、略楕円の筒状をしており、出力ポート部１２Ａのフランジ１２Ａｄも略楕円盤状をしている。
【００３３】
ハウジング１１Ａの上端部外周には上端部から下方に向けて弁体１３の移動方向に沿うように凹溝１１ｂが形成されている。また、出力ポート部１２Ａのフランジ１２Ａｄの断面Ｌ字状部内周の前記凹溝１１ｂに対応する位置には、下端部から上方に向けて弁体１３の移動方向に沿うように凸溝１２ｂを備えている。なお、本実施形態の電磁弁では出力ポート部１２Ａにハウジング１１Ａが挿嵌されており、流体が漏れ出ることがない。
【００３４】
本実施形態の電磁弁の場合、凹溝１１ｂと凸溝１２ｂとで弁口１２ａの開弁時の弁口１２ａと弁体１３との間隔を調節する間隔調節手段を構成する。
【００３５】
次に、本実施形態の電磁弁の組み付け調整について説明する。先ず、出力ポート部１２Ａをハウジング１１Ａに仮組み付けする。次に、入力ポート１４に圧力ボンベを接続し、出力ポート部１２Ａに流量計を取り付ける。次に、コイル２１をＯＮすると、ムービングコア１５ａがステータ２３に磁気吸引されて、リターンスプリング１５ｂの付勢力に抗してムービングコア１５ａが下方（開弁方向）へ移動する。
【００３６】
この状態で流量計で流量を測定し、流量が所定の流量より少ないときは、出力ポート部１２Ａを矢印Ａ３方向（図２で上方）に移動させて弁口１２ａを弁体１３から引き離して流量が所定の流量になったら、移動することを止めて、ピン３０を打ち込んで固定する。
【００３７】
流量が所定の流量より多いときは、出力ポート部１２Ａを矢印Ａ４方向（図２で下方）に移動させて弁口１２ａを弁体１３に近づけながら流量を測定し、流量が所定の流量になったら、移動することを止めて、ピン３０を打ち込んで固定する。
【００３８】
（実施形態３）
本実施形態の電磁弁は、図３に示すように、入力ポート１４に可変バルブ（流量連続調節手段）４０を接続した点が実施形態１の電磁弁と相違する。同一の構成要素に同一の符号を付し説明を省略する。
【００３９】
なお、本実施形態の電磁弁は従来の電磁弁のように、出力ポート部１２のフランジ１２ｄの下面端部がハウジング１１の周壁の上端部に対向配置されてレーザ溶接されている。
【００４０】
次に、本実施形態の電磁弁の組み付け調整について説明する。先ず、可変バルブ４０に圧力ボンベを接続し、出力ポート部１２に流量計を取り付ける。次に、可変バルブ４０を適当に開き、コイル２１をＯＮすると、ムービングコア１５ａがステータ２３に磁気吸引されて、リターンスプリング１５ｂの付勢力に抗してムービングコア１５ａが下方（開弁方向）へ移動する。
【００４１】
この状態で流量計で流量を測定し、流量が所定の流量より少ないときは、可変バルブ４０の開度を大きくしながら流量を測定し、流量が所定の流量になったらそこで可変バルブ４０の開度を固定する。
【００４２】
流量が所定の流量より多いときは、可変バルブ４０の開度を小さくしながら流量を測定し、流量が所定の流量になったらそこで可変バルブ４０の開度を固定する。
【符号の説明】
【００４３】
１１、１１Ａ・・・・・・・ハウジング
１１ａ・・・・・・・・・牡螺子山
１１ｂ・・・・・・・・・凹溝
１２・・・・・・・・・・・出力ポート部
１２ａ・・・・・・・・・弁口
１２ｂ・・・・・・・・・凸溝
１２ｃ・・・・・・・・・雌螺子山
１３・・・・・・・・・・・弁体
１４・・・・・・・・・・・入力ポート
３０・・・・・・・・・・・電磁駆動部
（１１ａ＋１２ｃ）・・・・・螺合機構（流量調節手段、間隔調整手段）
（１１ｂ＋１２ｂ）・・・・・間隔調整手段
４０・・・・・・・・・・・可変バルブ（流量連続調節手段）
Ｒ・・・・・・・・・・・・流路
【図１】
2014020446.tif 000003
【図２】
2014020446.tif 000004
【図３】
2014020446.tif 000005
【図４】
2014020446.tif 000006